(57)【要約】【課題】この発明によれば、電源の仕向けに応じた設定を行うことができ、設定されている仕向けと実際に供給される電源の仕向けとが一致しないことによる、部品破損、誤動作、性能低下などの不具合を未然に防止できる。【解決手段】この発明は、電源から定着装置に供給される電源電圧の電圧値を検出し、その検出した電源電圧の電圧値に基づいて前記電源の仕向けを判断し、その判断した前記電源の仕向けに応じた制御を行うようにしたものである。【選択図】    図２
2005017897.tif 000002
【特許請求の範囲】
【請求項１】
電源が接続されている定着装置を有する画像形成装置であって、
前記電源から前記定着装置に供給される電源電圧の電圧値を検知する電圧検知回路と、
前記電圧検知回路により検知された前記定着装置に供給される電源電圧の電圧値に基づいて前記電源の仕向けを判断する判断部と、
前記判断部により判断した前記電源の仕向けに応じた制御を行う制御部と、
を有することを特徴とする画像形成装置。
【請求項２】
前記電圧検知回路は、前記定着装置における電力制御用の回路に含まれる回路である、ことを特徴とする前記請求項１に記載の画像形成装置。
【請求項３】
前記制御部は、前記判断部により判断した前記電源の仕向けに基づいて、当該画像形成装置全体の仕向け設定を行う、ことを特徴とする前記請求項１に記載の画像形成装置。
【請求項４】
前記判断部は、当該画像形成装置の電源スイッチがオンされるごとに、前記定着装置が接続されている電源の仕向けを判断する、ことを特徴とする前記請求項１に記載の画像形成装置。
【請求項５】
電源が接続されている定着装置とシステム全体を制御する主制御装置とを有する画像形成システムであって、
前記定着装置は、
前記電源から供給される電源電圧の電圧値を検知する電圧検知回路と、
前記電圧検知回路により検知された電圧値又は前記電源の仕向けを示す信号を前記主制御装置へ通知するインターフェースと、を有し、
前記主制御装置は、
前記定着装置から通知された電圧値又は前記電源の仕向けを示す信号に基づいて前記電源の仕向けを判断する判断部と、
この判断部により判断した前記電源の仕向けに応じた制御を行う制御部と、を有する、
ことを特徴とする画像形成システム。
【請求項６】
前記定着装置の電圧検知回路は、前記定着装置における電力制御用の回路に含まれる回路である、ことを特徴とする前記請求項５に記載の画像形成システム。
【請求項７】
前記主制御装置の前記制御部は、前記判断部により判断した前記電源の仕向けに基づいて、当該画像形成装置全体の仕向け設定を行う、ことを特徴とする前記請求項５に記載の画像形成システム。
【請求項８】
前記定着装置は、当該画像形成システムの電源スイッチがオンされるごとに、前記電圧検出回路が検出した電源電圧の電圧値又は前記電源の仕向けを示す信号を前記インターフェースにより前記主制御装置へ通知する、ことを特徴とする前記請求項５に記載の画像形成システム。
【発明の詳細な説明】
【０００１】
【発明の属する技術分野】
この発明は、例えば、誘導加熱方式の加熱部材を有する定着装置が用いられる複写機などの画像形成装置及び画像形成システムに関する。
【０００２】
【従来の技術】
従来、複写機などの画像形成装置には、種々の電源の仕向けに対応した設定が必要なものがある。特に、誘導加熱方式の定着ローラを有する定着装置を用いた画像形成装置は、電源の仕向けに応じた制御が必要である。通常、画像形成装置が対応する仕向けを示す情報や仕向けに応じた定着装置の制御情報は、予め画像形成装置本体の制御基板内のメモリなどに書込まれている。
【０００３】
このため、従来の画像形成装置は、予め設定されている仕向けと異なる仕向けの電源に接続した場合、例えば、定着装置に供給される電圧が設定内容と一致しないという不具合が生じる。このように、予め設定されている仕向けと実際に接続された電源の仕向けとが一致していない場合、画像形成装置は、部品が破損したり、誤動作したり、性能低下を生じる可能性がある。
【０００４】
【特許文献１】
特開２００１−２１５８４８号公報
【特許文献２】
特開平１１−３３１４４８号公報
【０００５】
【発明が解決しようとする課題】
この発明は、予め設定されている仕向けと実際に接続される電源の仕向けとの不一致による部品破損、誤動作、あるいは性能低下などの不具合を未然に防止できる画像形成装置及び画像形成システムを提供することを目的とする。
【０００６】
【課題を解決するための手段】
この発明の画像形成装置は、電源が接続されている定着装置を有するものであって、前記電源から前記定着装置に供給される電源電圧の電圧値を検知する電圧検知回路と、前記電圧検知回路により検知された前記定着装置に供給される電源電圧の電圧値に基づいて前記電源の仕向けを判断する判断部と、前記判断部により判断した前記電源の仕向けに応じた制御を行う制御部とを有する。
【０００７】
この発明の画像形成システムは、電源が接続されている定着装置とシステム全体を制御する主制御装置とを有するものであって、前記定着装置は、前記電源から供給される電源電圧の電圧値を検知する電圧検知回路と、前記電圧検知回路により検知された電圧値又は前記電源の仕向けを示す信号を前記主制御装置へ通知するインターフェースとを有し、前記主制御装置は、前記定着装置から通知された電圧値又は前記電源の仕向けを示す信号に基づいて前記電源の仕向けを判断する判断部と、この判断部により判断した前記電源の仕向けに応じた制御を行う制御部とを有する。
【０００８】
【発明の実施の形態】
以下、この発明の実施の形態について図面を参照して説明する。
図１は、誘導加熱方式の定着装置が用いられる複写機（画像形成装置、画像形成システム）の構成例を示すブロック図である。
図１に示すように、複写機は、主制御装置１、読取り装置（スキャナ）２、表示装置（操作パネル）３、書込み装置（レーザ露光装置）４、給紙装置５、作像装置（現像装置）６、定着装置７、ＳＷ電源８、電源ＳＷ９、電源プラグ１０、及びＲＡＭ１１等を有している。
【０００９】
上記主制御装置１は、複写機全体の制御を司るものである。上記主制御装置１は、例えば、制御プログラムや制御データが記憶されるＲＯＭ、種々のパラメータや作業用のデータなどが記憶されるＲＡＭ１１、画像処理を行う画像処理部、ページメモリ、ハードディスクドライブ、及び、外部機器とのデータ通信を行う外部インターフェースなどを有している。なお、上記ＲＡＭ１１は、書込まれたデータ、あるいは予め書込まれているデータを保持することがメモリであるものとする。また、上記ＲＡＭ１１は、上記主制御装置１の外部に設け、上記主制御装置１により読み書き可能なように接続されるようにしても良い。
【００１０】
上記読取り装置２は、原稿の画像を光の明暗として捕らえて光電変換し、画像データを生成する画像読取りユニットである。上記スキャナ２は、例えば、光電変換素子としてのＣＣＤセンサ、ＣＣＤドライバ、信号処理回路、スキャンモータ、露光ランプ、及び自動原稿送り装置（ＡＤＦ）などを有している。
【００１１】
上記表示装置（操作パネル）３は、ユーザからの操作指示が入力されたり、ユーザへ種々の案内を提供するユーザインターフェースである。上記操作パネル３は、上記主制御装置１に接続されている。上記操作パネル３は、例えば、タッチパネル内蔵の液晶表示装置により構成される。上記操作パネル３には、タッチパネルにより選択可能な種々の操作キー（アイコン）が表示されるようになっている。
【００１２】
上記書込み装置（レーザ露光装置）４は、像担持体としての感光体ドラム（図示しない）にレーザ光を照射して静電潜像を形成するものである。すなわち、上記書込み装置４は、画像データに対応して光強度を変化させたレーザ光を上記感光体ドラムの外周面に照射することにより、上記感光体ドラムの外周面に静電潜像すなわち画像データに対応した画像が形成する。上記給紙装置５は、図示しない給紙トレイから被画像形成媒体としての用紙を給紙して複写機内を搬送させるものである。
【００１３】
上記作像装置６は、現像器及び転写部などを有している。上記作像装置６の現像器は、上記書込み装置により静電潜像が形成された上記感光体ドラムにトナーを供給し、上記感光体ドラム上にトナー像が形成する。また、上記作像装置６の転写部は、上記感光体ドラム上に形成されたトナー像を被画像形成媒体上に転写する。上記定着装置７は、用紙上のトナーに熱を与えて溶融すると同時に、用紙に所定の圧力を与えることにより、用紙Ｐ上にトナー像を固定（定着）させる。なお、上記定着装置７の構成については、後で詳細に説明する。
【００１４】
上記ＳＷ電源８は、上記電源プラグ１０及び電源ＳＷ９を介して供給される交流電源を、複写機の各部で使用される種々の直流電源に変換するものである。上記電源ＳＷ９は、複写機全体の電源をオンオフするスイッチである。上記電源ＳＷ９は、図示しない電源スイッチボタンによりオンオフされるとともに、上記主制御装置１によりオンオフが制御されるようになっている。上記電源プラグ１０は、交流の外部電源に接続されるプラグである。また、図１において、点線は交流電源用の接続線を示し、１重線は直流電源用の接続線を示し、３重線はデータ及び制御信号の接続線を示している。
【００１５】
次に、上記主制御装置１と上記定着装置７の構成について詳細に説明する。
図２は、上記主制御装置１と上記定着装置７内の構成を示す図である。
上記主制御装置１は、図２に示すように、ＲＡＭ１１、本体ＣＰＵ１２、及び温度制御回路１３を有している。
【００１６】
上記本体ＣＰＵ１２は、主制御装置１による複写機内の各部の制御を司るものである。上記本体ＣＰＵ１２は、上記ＲＡＭ１１、上記温度制御回路１３、及び上記定着装置７の内部インターフェース２６などに接続されている。上記温度制御回路１３は、上記定着装置７の定着器２７内に設けられているサーミスタ３４からの温度検知信号を入力し、上記本体ＣＰＵ１２に供給するようになっている。
【００１７】
また、上記定着装置７は、制御回路（ＩＨ−ＣＰＵ）２０、電源回路２１、駆動回路２２、ＡＣ入力部２３、ＡＣ出力部２４、内部インターフェース２６、及び定着器２７などを有している。
【００１８】
上記制御回路２０は、当該定着装置７内の各部の制御を司るものである。なお、上記制御回路２０には、書込まれたデータあるいは予め書込まれているデータを保持すること可能なメモリを有しているものとする。
【００１９】
上記制御回路２０は、上記電源回路２１、駆動回路２２、及び内部インターフェース２６などに接続されている。上記電源回路２１は、定着装置７に供給される電源を制御する回路である。例えば、上記電源回路２１は、上記ＡＣ入力部２３を介して定着装置７内に入力されたＡＣ電源を制御回路２０や駆動回路２２へ供給する。
【００２０】
上記駆動回路２２は、上記ＡＣ出力部２４を介して上記定着器２７へ電力を供給する回路である。上記駆動回路２２は、上記ＡＣ出力部２４を介して上記定着器２７内の複数のコイル３２へ供給電力を制御する。
【００２１】
上記内部インターフェース２６は、上記制御回路２０からの信号を種々の信号ごとに上記主制御装置１へ供給するインターフェースである。上記内部インターフェース２６は、図２に示すように、５ＶＳＷ信号、ＩＨ１ＯＮ、Ｈ１ＰＷＲ１、Ｈ１ＰＷＲ１、Ｈ１ＰＷＲ２、Ｈ１ＰＷＲ３、Ｈ２ＰＷＲ１、Ｈ２ＰＷＲ２、Ｈ２ＰＷＲ３、ＦＬＧ、Ｈ１ＥＲＲ１、Ｈ１ＥＲＲ２、及びＳＧなどの信号用の端子を有している。
【００２２】
上記ＩＨ１ＯＮ信号用の端子は上記主制御装置１の温度制御回路１３に接続され、上記Ｈ１ＰＷＲ１、Ｈ１ＰＷＲ１、Ｈ１ＰＷＲ２、Ｈ１ＰＷＲ３、Ｈ２ＰＷＲ１、Ｈ２ＰＷＲ２、Ｈ２ＰＷＲ３、ＦＬＧ、Ｈ１ＥＲＲ１、Ｈ１ＥＲＲ２などの信号用の端子は上記主制御装置１の本体ＣＰＵ１２に接続される。なお、上記内部インターフェース２６による上記主制御装置１と上記定着装置７との接続関係について後で詳細に説明する。
【００２３】
上記定着器２７は、定着ローラ３１と加圧ローラ（図示しない）とを有している。さらに、上記定着ローラ３１内には、複数のコイル３２（３２Ａ、３２Ｂ、３２Ｃ）が設けられおり、上記定着ローラ３１の表面には、サーモスタット３３（３３ａ、３３ｂ）、及びサーミスタ３４が設けられている。また、上記定着ローラ３１の周囲には、用紙を定着ローラ３１から剥離するための隔離爪（図示しない）、上記定着ローラ３１上に残るトナー及び紙屑等を除去するためのクリーニング部材（図示しない）、上記定着ローラ３１の表面に離型剤を塗布するための塗布ローラ（図示しない）などが配設されている。
【００２４】
上記定着ローラ３１は、導電性材料、例えば鉄を筒状に成形し、その鉄の外周面に、例えば、４フッ化エチレン樹脂等のフッ素樹脂などを被覆したものである。上記定着ローラ３１は、図示しない駆動モータなどにより図示右方向に回転駆動される。
【００２５】
上記加圧ローラは、図示しない加圧機構により、上記定着ローラ３１の周面に加圧状態で接している。上記加圧ローラは、上記定着ローラ３１の回転を受けて図示左方向に回転する。上記定着ローラ３１と上記加圧ローラとの接触部をコピー用紙Ｓが通過し、且つコピー用紙が定着ローラ３１から熱を受けることにより、コピー用紙Ｓ上の現像剤像Ｔがコピー用紙Ｓに定着される。
【００２６】
上記定着ローラ３１の内部には、誘導加熱用のコイル３２が収容されている。上記コイル３２は、上記駆動回路２２から上記ＡＣ出力部２４を介して高周波電力が与えられ、誘導加熱用の高周波磁界を発する。この高周波磁界が発せられることにより、上記定着ローラ３１には渦電流が生じ、その渦電流によるジュール熱で上記定着ローラ３１は自己発熱する。
【００２７】
次に、上記定着装置７の電源回路２１の構成について説明する。
図３は、上記定着装置７内の電源回路２１の回路構成例を示す図である。
図３に示すように、上記電源回路２１には、電圧検知回路４１、及び電流検知回路４２が設けられている。上記電源回路２１では、上記電圧検知回路４１及び電流検知回路４２により上記定着器２７内のコイル３２で消費する電力を検知している。
【００２８】
上記電圧検知回路４１は、電源コードから上記ＡＣ入力部２３を介して入力される電源電圧（上記駆動回路２２へ供給するＡＣ電圧）を抵抗Ｒ１及びＲ２で分圧後、ダイオード、コンデンサ、及び抵抗で整流する。この整流した信号は、制御回路２０内のＣＰＵのアナログボートで読み込まれる。これにより、上記制御回路２０は、電源電圧の電圧値を判定（検知）する。
【００２９】
例えば、読み込み値が０Ｖである場合、上記制御回路２０は、電源電圧がＡＣ０Ｖであると判定する。また、読み込み値が２Ｖである場合、上記制御回路２０は、電源電圧がＡＣ１００Ｖであると判定する。また、読み込み値が５Ｖである場合、上記制御回路２０は、電源電圧がＡＣ２５０Ｖであると判定する。
【００３０】
また、上記電流検知回路４２は、電源コードから上記ＡＣ入力部２３を介して入力される電流（上記駆動回路２２へ供給する電流）をパルストランスを介してダイオードブリッジ、抵抗、コンデンサで整流する。この整流した信号は、上記制御回路２０内のＣＰＵのアナログボートで読み込まれる。これにより、上記制御回路２０は、電源電流の電流値を判定（検知）する。
【００３１】
例えば、読み込み値が０Ｖである場合、上記制御回路２０は、電流値がＡＣ０Ａであると判定する。また、読み込み値が２Ｖである場合、上記制御回路２０は、電流値がＡＣ１０Ａであると判定する。また、読み込み値が５Ｖである場合、上記制御回路２０は、電流値がＡＣ２５Ａであると判定する。
これにより得られる電圧値及び電流値に基づいて、上記制御回路２０は、コイル３２の電力を算出し、所望の電力設定の電力になるように駆動回路２２を制御する。
【００３２】
次に、上記主制御装置１と上記定着装置７との接続関係について詳細に説明する。
図４は、上記主制御装置１と上記定着装置７との接続関係を示す図である。
図４に示すように、上記主制御装置１の温度制御回路１３と上記定着装置７の制御回路２０とは、上記ＩＨ１ＯＮ信号用の信号線により接続されている。上記ＩＨ１ＯＮ信号は、上記コイル３２のオンオフを制御する信号である。すなわち、上記温度制御回路１３は、上記定着ローラ３１の表面に設置されたサーミスタからの温度検知信号に基づいて、上記定着ローラ３１の表面が所望の温度（たとえば、２００℃）になるように、上記コイル３２のオンオフを制御している。
【００３３】
また、図４に示すように、上記主制御装置１の本体ＣＰＵ１２と上記定着装置７の制御回路２０とは、Ｈ１ＰＷＲ１、Ｈ１ＰＷＲ２、Ｈ１ＰＷＲ３、Ｈ２ＰＷＲ１、Ｈ２ＰＷＲ２、Ｈ２ＰＷＲ３、ＦＬＧ、Ｈ１ＥＲＲ１、及びＨ１ＥＲＲ２などの各信号用の信号線により接続されている。
【００３４】
上記Ｈ１ＰＷＲ１信号、Ｈ１ＰＷＲ２信号、Ｈ１ＰＷＲ３信号、Ｈ２ＰＷＲ１信号、Ｈ２ＰＷＲ２信号、及びＨ２ＰＷＲ３信号（以下、これら６の信号を電力設定信号と呼ぶものとする）は、上記コイル３２に供給する電力値を設定する信号である。
【００３５】
上記コイル３２に供給する電力値は、電源の仕向けに基づいて設定される。例えば、日本、北米、欧州などは、それぞれ電源電圧が異なるため、上記コイル３２に供給する電力値も異なる。例えば、仕向けが日本向けである場合、上記コイル３２に供給する電力値は、待機時には７００Ｗに設定され、ウォームアップ中と印刷中には１０００Ｗに設定される。また、仕向けが北米、欧州向けである場合、上記コイル３２に供給する電力値は、待機中には９００Ｗに設定され、ウォームアップ中と印字中には１７００Ｗに設定される。
【００３６】
図５及び図６は、上記電力設定信号による電力設定例を示す図である。
図５及び図６に示すように、上記コイル３２に供給する電力値は、電力設定信号としてのＨ１ＰＷＲ１、Ｈ１ＰＷＲ２、Ｈ１ＰＷＲ３、Ｈ２ＰＷＲ１、Ｈ２ＰＷＲ２、及びＨ２ＰＷＲ３の６つの信号の組み合わせにより設定される。なお、図５及び図６に示すような上記電力設定信号と電力値との関係を示す設定情報は、上記ＲＡＭ１１に記憶されているとともに、上記制御回路２０内の図示しないメモリにも記憶されているものである。
【００３７】
図５及び図６に示す例によれば、上記コイル３２に供給する電力値を７００Ｗに設定する場合、上記本体ＣＰＵ１２は、Ｈ１ＰＷＲ１信号を「Ｈ（１）」、Ｈ１ＰＷＲ２信号を「Ｈ（１）」、Ｈ１ＰＷＲ３信号を「Ｈ（１）」、Ｈ２ＰＷＲ１信号を「Ｈ（１）」、Ｈ２ＰＷＲ２信号を「Ｈ（１）」、Ｈ２ＰＷＲ３信号を「Ｌ（０）」にそれぞれ設定する。また、図５及び図６に示す例において、上記コイル３２に供給する電力値を１０００Ｗに設定する場合、上記本体ＣＰＵ１２は、Ｈ１ＰＷＲ１信号を「Ｈ（１）」、Ｈ１ＰＷＲ２信号を「Ｌ（０）」、Ｈ１ＰＷＲ３信号を「Ｈ（１）」、Ｈ２ＰＷＲ１信号を「Ｈ（１）」、Ｈ２ＰＷＲ２信号を「Ｈ（１）」、Ｈ２ＰＷＲ３信号を「Ｈ（１）」にそれぞれ設定する。
【００３８】
また、上記Ｈ１ＥＲＲ１信号及びＨ１ＥＲＲ２信号は、上記定着装置７の状態を示す信号である。上記Ｈ１ＥＲＲ１信号及びＨ１ＥＲＲ２信号は、上記定着装置７の制御回路２０から上記主制御装置１の本体ＣＰＵ１２へ通知される信号である。上記Ｈ１ＥＲＲ１信号及びＨ１ＥＲＲ２信号は、識別信号としての上記ＦＬＧ信号により伝達される信号の意味が変わる。すなわち、上記Ｈ１ＥＲＲ１信号及び上記Ｈ１ＥＲＲ２信号により伝達される情報は、上記ＦＬＧ信号の値に決められる。
【００３９】
例えば、上記ＦＬＧ信号が「Ｌ（０）」の場合、上記Ｈ１ＥＲＲ１信号及びＨ１ＥＲＲ２信号は、定着装置７内のエラー状況を本体ＣＰＵ１２に通知する信号（エラー伝達信号）として機能する。また、上記ＦＬＧ信号が「Ｈ（１）」の場合、上記Ｈ１ＥＲＲ１信号及びＨ１ＥＲＲ２信号は、定着装置７に入力する電源の仕向けを通知する信号として機能する。
【００４０】
例えば、図７は、ＦＬＧ信号が「Ｌ（０）」の場合に、上記Ｈ１ＥＲＲ１信号及びＨ１ＥＲＲ２信号が通知する情報の例を示すものである。なお、図７に示すようなＦＬＧ信号が「Ｌ（０）」の場合における、上記Ｈ１ＥＲＲ１信号及びＨ１ＥＲＲ２信号の値とエラー状況との関係を示す情報は、予め、上記ＲＡＭ１１に記憶されているとともに、上記制御回路２０内の図示しないメモリにも記憶されているものである。
【００４１】
図７に示す例によれば、上記ＦＬＧ信号が「Ｌ（０）」、かつ、上記Ｈ１ＥＲＲ１信号が「Ｌ（０）」、かつ、上記Ｈ１ＥＲＲ２信号が「Ｌ（０）」である場合、定着装置７に入力される電源電圧が異常であることを示している。
【００４２】
また、図７に示す例において、上記ＦＬＧ信号が「Ｌ（０）」、かつ、上記Ｈ１ＥＲＲ１信号が「Ｌ（０）」、かつ、上記Ｈ１ＥＲＲ２信号が「Ｈ（１）」である場合、定着装置７がレディ中（異常なしの状態）であることを示している。
【００４３】
また、図７に示す例において、上記ＦＬＧ信号が「Ｌ（０）」、かつ、上記Ｈ１ＥＲＲ１信号が「Ｈ（１）」、かつ、上記Ｈ１ＥＲＲ２信号が「Ｌ（０）」である場合、スイッチング素子のセンサが高温であることを示している。
【００４４】
また、図７に示す例において、上記ＦＬＧ信号が「Ｌ（０）」、かつ、上記Ｈ１ＥＲＲ１信号が「Ｈ（１）」、かつ、上記Ｈ１ＥＲＲ２信号が「Ｈ（１）」である場合、定着装置７内の温度センサが異常であることを示している。
【００４５】
また、図８は、ＦＬＧ信号が「Ｈ（１）」の場合に、上記Ｈ１ＥＲＲ１信号及びＨ１ＥＲＲ２信号が通知する情報の例を示すものである。なお、図８に示すようなＦＬＧ信号が「Ｈ（１）」の場合における、上記Ｈ１ＥＲＲ１信号及びＨ１ＥＲＲ２信号の値と電力値又は電源の仕向けとの関係を示す情報は、予め、上記ＲＡＭ１１に記憶されているとともに、上記制御回路２０内の図示しないメモリにも記憶されているものである。
【００４６】
図８に示す例によれば、上記ＦＬＧ信号が「Ｈ（１）」、かつ、上記Ｈ１ＥＲＲ１信号がＬ（０）、かつ、上記Ｈ１ＥＲＲ２信号が「Ｌ（０）」である場合、定着装置７に入力される電源電圧が９０Ｖ〜１１０Ｖ、又は、電源の仕向けが日本向けであることを示している。
【００４７】
また、図８に示す例において、上記ＦＬＧ信号が「Ｈ（１）」、かつ、上記Ｈ１ＥＲＲ１信号が「Ｌ（０）」、かつ、上記Ｈ１ＥＲＲ２信号が「Ｈ（１）」である場合、定着装置７に入力される電源電圧が１１０Ｖ〜１４０Ｖ、又は、電源の仕向けが北米向けであることを示している。
【００４８】
また、図８に示す例において、上記ＦＬＧ信号が「Ｈ（１）」、かつ、上記Ｈ１ＥＲＲ１信号が「Ｈ（１）」、かつ、上記Ｈ１ＥＲＲ２信号が「Ｌ（０）」である場合、定着装置７に入力される電源電圧が２００Ｖ〜２７０Ｖ、又は、電源の仕向けが欧州向けであることを示している。
【００４９】
また、図８に示す例において、上記ＦＬＧ信号が「Ｈ（１）」、かつ、上記Ｈ１ＥＲＲ１信号が「Ｈ（１）」、かつ、上記Ｈ１ＥＲＲ２信号が「Ｈ（１）」である場合、定着装置７に入力される電源電圧が２００Ｖ〜２７０Ｖ、又は、電源の仕向けが日本、北米、欧州以外の地域向けであることを示している。
【００５０】
次に、本複写機の動作について説明する。
図９は、本複写機の動作を説明するためのフローチャートである。
ここでは、上記電源ＳＷ９がオンされるごとに、図９に示すような動作を行うものとする。なお、図９に示すような動作は、所定の期間ごとに行うようにしても良い。また、上記ＲＡＭ１１には、電源の仕向けに応じた複写機の各部の設定内容が記憶されているものとする。
【００５１】
ユーザが複写機の主電源スイッチボタン（図示しない）を投入したものとする。すると、上記電源ＳＷ９がオンする。これにより、図示しない電源からの電源電力は、上記電源プラグ１０及び定着装置７内の上記ＡＣ入力部２３を介して、上記定着装置７内の電源回路２１に入力される。上記電源回路２１に電源電力が供給されると、上記電源回路２１内の電圧検知回路４１は、電源電圧を整流し、上記制御回路２０へ供給する（ステップＳ１）。
【００５２】
すると、上記制御回路２０は、電源電圧の電圧値を判定する。上記電源電圧の電圧値を判定すると、上記制御回路２０は、上記ＦＬＧ信号の値を「Ｈ（１）」に設定する（ステップＳ２）。この状態において、上記制御回路２０は、図８に示すような設定テーブルに基づき、上記Ｈ１ＥＲＲ１信号及び上記Ｈ１ＥＲＲ２信号の値を上記電圧値、あるいは、上記電圧値に対応する仕向けを示す値に設定する。
【００５３】
すなわち、上記ＦＬＧ信号、上記Ｈ１ＥＲＲ１信号、及び上記Ｈ１ＥＲＲ２信号の値が電源電圧の電圧値あるいは電源の仕向けを示す値に設定されると、上記内部インターフェース２６は、これらの信号を上記主制御装置１へ通知する（ステップＳ３）。
【００５４】
これらの上記内部インターフェース２６により通知された上記ＦＬＧ信号、上記Ｈ１ＥＲＲ１信号及び上記Ｈ１ＥＲＲ２信号は、上記主制御装置１の本体ＣＰＵ１２に受信される。上記本体ＣＰＵ１２では、上記ＦＬＧ信号、上記Ｈ１ＥＲＲ１信号及び上記Ｈ１ＥＲＲ２信号の各信号の組み合わせにより示される電圧値又は仕向けを判断する（ステップＳ４）。この判断は、例えば、図８に示すような上記ＲＡＭ１１に記憶されている設定テーブルに基づいて行われる。
【００５５】
電源の仕向けを判断すると、上記本体ＣＰＵ１２は、判断した仕向けと上記ＲＡＭ１１に既に記憶されている仕向けを示す情報（予め記憶されている仕向け情報あるいは前回電源オン時に判断した仕向け情報）とを比較する（ステップＳ５）。
【００５６】
この比較の結果、上記判断した仕向けと上記ＲＡＭ１１に記憶されている仕向けとが一致しないと判断した場合（ステップＳ５、ＹＥＳ）、上記本体ＣＰＵ１２は、上記ステップＳ４で判断した仕向け（現在接続されている電源の仕向け）に対応する設定に変更可能か否かを判断する（ステップＳ６）。ここでは、当該複写機が対応可能な数種類の仕向けに対する複写機内の各部の設定内容が上記ＲＡＭ１１等に記憶されているものとする。また、当該複写機が予め設定されている１つの仕向けのみに対応するものである場合、他の仕向けに対応する設定内容は記憶されていないものとする（他の仕向けに変更不可であるものとする）。
【００５７】
上記判断により当該複写機が現在接続されている電源の仕向けに対応する設定に変更可能であると判断した場合（ステップＳ６、ＹＥＳ）、上記本体ＣＰＵ１２は、上記ＲＡＭ１１に現時接続されている電源の仕向けを示す情報を記憶し（ステップＳ７）、当該複写機内の各部の設定をその仕向けに対応する設定に変更する（ステップＳ８）。
【００５８】
これにより、当該複写機内の各部を現在接続されている電源の仕向けに変更した場合、上記本体ＣＰＵ１２は、上記定着装置７に対する電力設定処理（通常処理）に移行する（ステップＳ９）。
【００５９】
また、上記ステップＳ５での比較の結果、現在接続されている電源の仕向けと上記ＲＡＭ１１に記憶されている仕向けとが一致する場合、上記本体ＣＰＵ１２は、上記定着装置７に対する電力設定処理に移行する（ステップＳ９）。
【００６０】
上記のような主制御装置１による設定される電力設定に応じて、上記定着装置７は、電力制御処理（通常処理）を実行する（ステップＳ１０）。なお、上記電力制御処理中において、上記制御回路２０は、上記定着装置７内のエラー状況を監視している。これにより電力制御処理中にエラーが検知された場合、上記制御回路２０は、上記ＦＬＧ信号をＬ（０）としてエラー状況を示す情報を上記本体ＣＰＵ１２に通知するようになっている。
【００６１】
また、上記ステップＳ６で現在接続されている電源の仕向けに対応する設定に変更できないと判断した場合（ステップＳ６、ＹＥＳ）、上記本体ＣＰＵ１２は、上記電源ＳＷ９をオフすることにより、当該複写機の主電源をオフする（ステップＳ１１）。この際、上記本体ＣＰＵ１２は、上記表示装置３により現在接続されている電源の仕向けが不適合である旨を表示するようにしても良い。
【００６２】
また、上記ＲＡＭ１１には、製造時などに、当該複写機の仕向けに応じて仕向け情報を予め書込んでおくようにしても良い。この場合、仕向け情報を書込んだＲＡＭ１１を実装した複写機、あるいは仕向け情報を書込んだＲＡＭ１１が実装された制御基板を装着した複写機の電源スイッチをオンすることにより、上記ＲＡＭ１１に書込まれている仕向けと定着装置からの仕向け情報に基づく電源の仕向けとが一致しているか否かを判定できる。さらに、ＲＡＭ１１に書込まれている仕向けと電源の仕向けが不一致の場合に、上記表示装置３等に仕向けの不一致を報知するようにしても良い。これにより、ＲＡＭ１１あるいはＲＡＭ１１を実装した制御基板が間違えて複写機に装着されていることを検出したり、報知したりすることができる。
【００６３】
上記のように、本実施例によれば、電源から定着装置に供給される電源電圧の電圧値を検出し、その検出した電源電圧の電圧値に基づいて前記電源の仕向けを判断し、その判断した前記電源の仕向けに応じた制御を行うようにしたものである。
これにより、電源の仕向けに応じた設定を行うことができる。また、設定されている仕向けと実際に供給される電源の仕向けとが一致しないことによる、部品破損、誤動作、性能低下などの不具合を未然に防止できる。
【００６４】
【発明の効果】
以上詳述したように、この発明によれば、予め設定されている仕向けと実際に接続される電源の仕向けとの不一致による部品破損、誤動作、あるいは性能低下などの不具合を未然に防止できる画像形成装置及び画像形成システムを提供できる。
【図面の簡単な説明】
【図１】この発明の画像形成装置の概略構成を示すブロック図である。
【図２】主制御装置及び定着装置内の構成例を示す図である。
【図３】定着装置内の電源回路の構成例を示す図である。
【図４】本体ＣＰＵとＩＨ−ＣＰＵとの接続関係を示す図である。
【図５】電力設定信号と電力値との関係を示す図である。
【図６】電力設定信号と電力値との関係を示す図である。
【図７】Ｈ１ＥＲＲ１信号及びＨ１ＥＲＲ２信号の値とエラー状況との関係を示す図である。
【図８】Ｈ１ＥＲＲ１信号及びＨ１ＥＲＲ２信号の値と電圧値又は電源の仕向けとの関係を示す図である。
【図９】複写機の動作例を説明するためのフローチャートである。
【符号の説明】
１…主制御装置、２…読取り装置（スキャナ）、３…表示装置（操作パネル）、７…定着装置、９…電源ＳＷ、１０…電源プラグ、、１１…ＲＡＭ、１２…本体ＣＰＵ、１３…温度制御回路、２０…制御回路、２１…電源回路、２２…駆動回路、２３…ＡＣ入力部、２４…ＡＣ出力部、２６…内部インターフェース、２７…定着器、３２…コイル、４１…電圧検知回路、４２…電流検知回路
【図１】
2005017897.tif 000003
【図２】
2005017897.tif 000004
【図３】
2005017897.tif 000005
【図４】
2005017897.tif 000006
【図５】
2005017897.tif 000007
【図６】
2005017897.tif 000008
【図７】
2005017897.tif 000009
【図８】
2005017897.tif 000010
【図９】
2005017897.tif 000011